(57)【要約】  ワイヤレス通信のシステムおよび方法を記述している。低周波数におけるユーザデバイスとの通信を確立する。その後、ワイヤレスネットワークデバイスとユーザデバイスとの間の低周波数における通信に関する、パス損失の、電力遅延プロフィールの、およびマルチパス方向の情報のような、粗チャネル情報を使用して、高周波数におけるユーザデバイスとの通信を確立することができる。【選択図】図６
2016528830.tif 000002
【特許請求の範囲】
【請求項１】
ワイヤレス通信の方法において、
低周波数におけるユーザデバイスとの通信を、少なくとも１つのワイヤレスネットワークデバイスによって確立することと、
前記少なくとも１つのワイヤレスネットワークデバイスと前記ユーザデバイスとの間の前記低周波数における通信に関連する粗チャネル特性を識別することと、
前記低周波数における通信の前記粗チャネル特性に少なくとも部分的に基づいて、高周波数における前記ユーザデバイスとの通信を、前記少なくとも１つのワイヤレスネットワークデバイスによって確立することとを含む方法。
【請求項２】
前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関連する前記粗チャネル特性が、前記より高い周波数における通信を確立する際に使用される請求項１記載の方法。
【請求項３】
前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む請求項１記載の方法。
【請求項４】
前記高周波数において前記ユーザデバイスと通信するように構成されている第２のネットワークデバイスの範囲中に、前記ユーザデバイスがあるか否かを、前記低周波数において前記ユーザデバイスと通信する前記少なくとも１つのワイヤレスネットワークデバイスによって監視することをさらに含む請求項１記載の方法。
【請求項５】
前記第２のネットワークデバイスの範囲中に前記ユーザデバイスがあるときに、前記第２のネットワークデバイスをアクティブにすることをさらに含む請求項４記載の方法。
【請求項６】
前記ユーザデバイスとの高周波数通信を確立するために、前記第２のネットワークデバイスに前記粗チャネル特性を提供することをさらに含む請求項５記載の方法。
【請求項７】
１つ以上の高周波数通信ネットワークデバイスに対応する情報を、前記ユーザデバイスに送信することをさらに含む請求項１記載の方法。
【請求項８】
前記低周波数における通信に関して識別した前記粗チャネル特性に基づいて、高周波数送信ビームを向けることをさらに含む請求項１記載の方法。
【請求項９】
ワイヤレス通信の方法において、
ユーザデバイスによって、低周波数において少なくとも１つのネットワークデバイスと通信することと、
前記ユーザデバイスにおいて、前記低周波数における通信に関係付けられている粗チャネル特性に基づく、前記ユーザデバイスに向けられた高周波数通信を受信することとを含む方法。
【請求項１０】
前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関係付けられている前記粗チャネル特性が、前記高周波数通信を前記ユーザデバイスに向ける際に使用される請求項９記載の方法。
【請求項１１】
前記ユーザデバイスによって前記少なくとも１つのネットワークデバイスと通信することは、前記少なくとも１つのネットワークデバイスに前記粗チャネル特性を通信することを含む請求項９記載の方法。
【請求項１２】
前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む請求項９記載の方法。
【請求項１３】
前記高周波数通信は、前記低周波数において前記ユーザデバイスと通信する前記少なくとも１つのネットワークデバイスから受信される請求項９記載の方法。
【請求項１４】
前記高周波数通信は、前記少なくとも１つのネットワークデバイスとは異なる第２のネットワークデバイスから受信される請求項９記載の方法。
【請求項１５】
前記ユーザデバイスによって、前記低周波数において、前記少なくとも１つのネットワークデバイスと制御情報を送受信することと、
前記ユーザデバイスによって、前記高周波数通信により、前記第２のネットワークデバイスとデータ情報を送受信することとをさらに含む請求項１４記載の方法。
【請求項１６】
ワイヤレス通信のための装置において、
少なくとも１つのプロセッサと、
前記少なくとも１つのプロセッサに結合されているメモリとを具備し、
前記少なくとも１つのプロセッサは、
低周波数におけるユーザデバイスとの通信を、少なくとも１つのワイヤレスネットワークデバイスによって確立し、
前記少なくとも１つのワイヤレスネットワークデバイスと前記ユーザデバイスとの間の前記低周波数における通信に関連する粗チャネル特性を識別し、
前記低周波数における通信の前記粗チャネル特性に少なくとも部分的に基づいて、高周波数における前記ユーザデバイスとの通信を確立するように構成されている装置。
【請求項１７】
前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関連する前記粗チャネル特性が、前記より高い周波数における通信を確立するための前記少なくとも１つのプロセッサのコンフィギュレーションにおいて使用される請求項１６記載の装置。
【請求項１８】
前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む請求項１６記載の装置。
【請求項１９】
前記少なくとも１つのプロセッサは、前記高周波数において前記ユーザデバイスと通信するように構成されている第２のネットワークデバイスの範囲中に、前記ユーザデバイスがあるか否かを監視するように構成されている請求項１６記載の装置。
【請求項２０】
前記少なくとも１つのプロセッサは、前記第２のネットワークデバイスの範囲中に前記ユーザデバイスがあるときに、前記第２のネットワークデバイスをアクティブにするように構成されている請求項１９記載の装置。
【請求項２１】
前記少なくとも１つのプロセッサは、前記ユーザデバイスとの高周波数通信を確立するために、前記第２のネットワークデバイスに前記粗チャネル特性を提供するようにさらに構成されている請求項２０記載の方法。
【請求項２２】
１つ以上の高周波数通信ネットワークデバイスに対応する情報を前記ユーザデバイスに送信するための前記少なくとも１つのプロセッサのコンフィギュレーションをさらに含む請求項１６記載の装置。
【請求項２３】
前記少なくとも１つのプロセッサは、前記低周波数における通信に関して識別した前記粗チャネル特性に基づいて、高周波数送信ビームを向けるように構成されている請求項１６記載の装置。
【請求項２４】
ワイヤレス通信のための装置において、
少なくとも１つのプロセッサと、
前記少なくとも１つのプロセッサに結合されているメモリとを具備し、
前記少なくとも１つのプロセッサは、
ユーザデバイスによって、低周波数において少なくとも１つのネットワークデバイスと通信し、
前記ユーザデバイスにおいて、前記低周波数において通信するための前記少なくとも１つのプロセッサのコンフィギュレーションに関係付けられている粗チャネル特性に基づく、前記ユーザデバイスに向けられた高周波数通信を受信するように構成されている装置。
【請求項２５】
前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関係付けられている前記粗チャネル特性が、前記高周波数通信を前記ユーザデバイスに向ける際に使用される請求項２４記載の装置。
【請求項２６】
前記ユーザデバイスによって前記少なくとも１つのネットワークデバイスと通信するための前記少なくとも１つのプロセッサのコンフィギュレーションは、前記少なくとも１つのネットワークデバイスに前記粗チャネル特性を通信するための前記少なくとも１つのプロセッサのコンフィギュレーションを含む請求項２４記載の装置。
【請求項２７】
前記粗チャネル特性は、前記ユーザデバイスと前記少なくとも１つのネットワークデバイスとの間で前記低周波数において通信するための前記少なくとも１つのプロセッサのコンフィギュレーションに対して、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む請求項２４記載の装置。
【請求項２８】
前記高周波数通信は、前記低周波数において前記ユーザデバイスと通信する前記少なくとも１つのネットワークデバイスから受信される請求項２４記載の装置。
【請求項２９】
前記高周波数通信は、前記少なくとも１つのネットワークデバイスとは異なる第２のネットワークデバイスから受信される請求項２４記載の装置。
【請求項３０】
前記少なくとも１つのプロセッサは、
前記低周波数において、前記少なくとも１つのネットワークデバイスと制御情報を送受信し、
前記高周波数通信により、第２のネットワークデバイスとデータ情報を送受信するように構成されている請求項２４記載の装置。
【発明の詳細な説明】
【関連出願に対する相互参照】
【０００１】
［０００１］
本出願は、２０１３年８月９日に出願された“低周波数ワイヤレスネットワーク中での高周波数通信の管理のための方法および装置”というタイトルの同時係属中の米国仮特許出願番号第６１／８６４，４１７号に対して優先権を主張し、その開示は参照によってここに組み込まれている。
【分野】
【０００２】
［０００２］
本開示の態様は、概して、ワイヤレス通信システムに関連しており、より詳細には、低周波数ワイヤレスネットワーク中で高周波数通信を管理することに関連している。
【背景】
【０００３】
［０００３］
ワイヤレス通信ネットワークは、音声、ビデオ、パケットデータ、メッセージング、ブロードキャスト、およびこれらに類するもののような、さまざまな通信サービスを提供するように、広く配備されている。これらのワイヤレスネットワークは、利用可能なネットワークリソースを共有することによって複数のユーザをサポートすることができる、多元接続ネットワークであるかもしれない。通常は多元接続ネットワークであるこのようなネットワークは、利用可能なネットワークリソースを共有することによって、複数のユーザに対する通信をサポートしている。このようなネットワークの１つの例は、ユニバーサル地上無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイルフォン技術であるユニバーサルモバイルテレコミュニケーションシステム（ＵＭＴＳ）の一部として定義された無線アクセスネットワーク（ＲＡＮ）である。多元接続ネットワークフォーマットの例には、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークが含まれる。
【０００４】
［０００４］
ワイヤレス通信ネットワークは、多数のユーザ機器（ＵＥ）に対する通信をサポートすることができる多数の基地局またはノードＢを備えていてもよい。ＵＥは、ダウンリンクおよびアップリンクを介して基地局と通信することができる。ダウンリンク（またはフォワードリンク）は基地局からＵＥへの通信リンクを指し、アップリンク（またはリバースリンク）はＵＥから基地局への通信リンクを指す。
【０００５】
［０００５］
基地局は、ダウンリンク上でデータおよび制御情報をＵＥに送信し、および／または、アップリンク上でデータおよび制御情報をＵＥから受信する。ダウンリンク上で、基地局からの送信は、隣接基地局からのまたは他のワイヤレス無線周波数（ＲＦ）送信機からの送信が原因の干渉に直面するかもしれない。アップリンク上で、ＵＥからの送信は、隣接基地局と通信する他のＵＥのアップリンク送信からのまたは他のワイヤレスＲＦ送信機からの干渉に直面するかもしれない。この干渉は、ダウンリンクとアップリンクの両方において性能を低下させる。
【０００６】
［０００６］
移動体ブロードバンドアクセスに対する需要が増加し続けるにつれて、より多くのＵＥが長距離ワイヤレス通信ネットワークにアクセスすることにより、および、より多くの短距離ワイヤレスシステムがコミュニティ中に配備されることにより、干渉および輻輳したネットワークの可能性が増大する。移動体ブロードバンドアクセスに対する増大する需要を満たすためだけではなく、移動体通信によるユーザ経験を進歩および向上させるために、研究および開発は、ＵＭＴＳ技術を進歩させ続けている。
【０００７】
［０００７］
一般的に、ワイヤレス通信ネットワークは、低周波数搬送波信号（例えば、４００ＭＨｚ〜３ＧＨｚ）を使用して、前述の、基地局とＵＥとの間のアップリンクおよびダウンリンク通信を実現する。例えば、現在の３Ｇネットワークは、８５０、１７００、１９００、および２１００ＭＨｚの周波数を利用しており、現在の４Ｇ技術は、７００、８００、１７００、１９００、２１００、および２５００ＭＨｚの周波数を利用している。低周波数搬送波信号は、ワイヤレスネットワークの広範にわたる配備を支援してきたある利点を提供する。このような周波数は、カバレッジエリア範囲能力と、非常に多数のＵＥを取り扱う能力とのバランスを提供する。
【０００８】
［０００８］
より高い周波数を利用すればする程、利用可能なカバレッジエリアがより小さくなることが一般的に理解されている。これは、低周波数ネットワークの範囲内でさえ当てはまる（例えば、１９００ＭＨｚ送信は一般的に、８００ＭＨｚ送信ほどの距離はカバーしない）。さらに、１９００ＭＨｚのような、低周波数範囲のより高い端を使用することにより、より広い帯域幅、および、より多くのＵＥにサービスを提供する能力が、可能になることが理解されている。
【０００９】
［０００９］
ワイヤレス通信ネットワークは一般的に、ずっと高い範囲、例えば、２０ＧＨｚ〜６０ＧＨｚ中の周波数を利用しない。なぜなら、このような高周波数信号は、ワイヤレス通信ネットワークセット中にそれらを配備する場合、複数の不利益を被るからである。例えば、２８ＧＨｚの周波数では、信号のフリースペースパス損失は、２ＧＨｚ信号によるものよりも２０ｄＢ大きい。酸素吸収および他の大気条件（例えば、雨、水蒸気、およびこれらに類するものの存在）も、高周波数信号に、より悪いように影響を与える。高周波数では、信号がビルディング、群葉などに直面するときに、侵入損失もずっと大きい。
【００１０】
［００１０］
さらに、高周波数における通信は、見通し線（ＬＯＳ）接続を要求することが多い。このことは、特に、ＵＥが移動体である環境において、基地局とＵＥとの間の通信を維持することに対する複数の技術的な課題を提起する。このことが理由で、高周波数通信は、ワイヤレス通信ネットワーク中で利用されていない。
【概要】
【００１１】
［００１１］
開示の１つの態様において、ワイヤレス通信の方法は、低周波数におけるユーザデバイスとの通信を、少なくとも１つのワイヤレスネットワークデバイスによって確立することと、少なくとも１つのワイヤレスネットワークデバイスとユーザデバイスとの間の低周波数における通信に関連する粗チャネル特性を識別することと、低周波数における通信の粗チャネル特性に少なくとも部分的に基づいて、高周波数におけるユーザデバイスとの通信を、少なくとも１つのワイヤレスネットワークデバイスによって確立することとを含んでいる。
【００１２】
［００１２］
開示の追加の態様において、ワイヤレス通信の方法は、第１のネットワークデバイスにおいて、第２のネットワークデバイスとユーザデバイスとの間の低周波数通信の１つ以上のチャネル特性に対応する粗チャネル特性を、第２のネットワークデバイスから受信することと、低周波数通信に関連する受信した粗チャネル特性に少なくとも部分的に基づいて、ユーザデバイスとの高周波数通信を、第１のネットワークデバイスによって確立することとを含んでいる。
【００１３】
［００１３］
開示の追加の態様において、ワイヤレス通信の方法は、ユーザデバイスによって、低周波数において少なくとも１つのネットワークデバイスと通信することと、ユーザデバイスにおいて、低周波数における通信に関係付けられている粗チャネル特性に基づく、ユーザデバイスに向けられた高周波数通信を受信することとを含んでいる。
【００１４】
［００１４］
開示の追加の態様において、ワイヤレス通信のために構成されている装置は、低周波数におけるユーザデバイスとの通信を、少なくとも１つのワイヤレスネットワークデバイスによって確立する手段と、少なくとも１つのワイヤレスネットワークデバイスとユーザデバイスとの間の低周波数における通信に関連する粗チャネル特性を識別する手段と、低周波数における通信の粗チャネル特性に少なくとも部分的に基づいて、高周波数におけるユーザデバイスとの通信を、少なくとも１つのワイヤレスネットワークデバイスによって確立する手段とを備えている。
【００１５】
［００１５］
開示の追加の態様において、ワイヤレス通信のために構成されている装置は、第１のネットワークデバイスにおいて、第２のネットワークデバイスとユーザデバイスとの間の低周波数通信の１つ以上のチャネル特性に対応する粗チャネル特性を、第２のネットワークデバイスから受信する手段と、低周波数通信に関連する受信した粗チャネル特性に少なくとも部分的に基づいて、ユーザデバイスとの高周波数通信を、第１のネットワークデバイスによって確立する手段とを備えている。
【００１６】
［００１６］
開示の追加の態様において、ワイヤレス通信のために構成されている装置は、ユーザデバイスによって、低周波数において少なくとも１つのネットワークデバイスと通信する手段と、ユーザデバイスにおいて、低周波数において通信する手段に関係付けられている粗チャネル特性に基づく、ユーザデバイスに向けられた高周波数通信を受信する手段とを備えている。
【００１７】
［００１７］
開示の追加の態様において、装置は、少なくとも１つのプロセッサと、プロセッサに結合されているメモリとを備えている。プロセッサは、低周波数におけるユーザデバイスとの通信を、少なくとも１つのワイヤレスネットワークデバイスによって確立し、少なくとも１つのワイヤレスネットワークデバイスとユーザデバイスとの間の低周波数における通信に関連する粗チャネル特性を識別し、低周波数における通信の粗チャネル特性に少なくとも部分的に基づいて、高周波数におけるユーザデバイスとの通信を、少なくとも１つのワイヤレスネットワークデバイスによって確立するように構成されている。
【００１８】
［００１８］
開示の追加の態様において、装置は、少なくとも１つのプロセッサと、プロセッサに結合されているメモリとを備えている。プロセッサは、第１のネットワークデバイスにおいて、第２のネットワークデバイスとユーザデバイスとの間の低周波数通信の１つ以上のチャネル特性に対応する粗チャネル特性を、第２のネットワークデバイスから受信し、低周波数通信に関連する受信した粗チャネル特性に少なくとも部分的に基づいて、ユーザデバイスとの高周波数通信を、第１のネットワークデバイスによって確立するように構成されている。
【００１９】
［００１９］
開示の追加の態様において、装置は、少なくとも１つのプロセッサと、プロセッサに結合されているメモリとを備えている。プロセッサは、ユーザデバイスによって、低周波数において少なくとも１つのネットワークデバイスと通信し、ユーザデバイスにおいて、低周波数における通信に関係付けられている粗チャネル特性に基づく、ユーザデバイスに向けられた高周波数通信を受信するように構成されている。
【００２０】
［００２０］
開示の追加の態様において、コンピュータプログラムプロダクトは、その上に記録されているプログラムコードを有しているコンピュータ読み取り可能媒体を有している。このプログラムコードは、コンピュータに、低周波数におけるユーザデバイスとの通信を、少なくとも１つのワイヤレスネットワークデバイスによって確立させるためのコードと、少なくとも１つのワイヤレスネットワークデバイスとユーザデバイスとの間の低周波数における通信に関連する粗チャネル特性を識別するためのコードと、低周波数における通信の粗チャネル特性に少なくとも部分的に基づいて、高周波数におけるユーザデバイスとの通信を、少なくとも１つのワイヤレスネットワークデバイスによって確立するためのコードとを含んでいる。
【００２１】
［００２１］
開示の追加の態様において、コンピュータプログラムプロダクトは、その上に記録されているプログラムコードを有しているコンピュータ読み取り可能媒体を有している。このプログラムコードは、コンピュータに、第１のネットワークデバイスにおいて、第２のネットワークデバイスとユーザデバイスとの間の低周波数通信の１つ以上のチャネル特性に対応する粗チャネル特性を、第２のネットワークデバイスから受信させるためのコードと、低周波数通信に関連する受信した粗チャネル特性に少なくとも部分的に基づいて、ユーザデバイスとの高周波数通信を、第１のネットワークデバイスによって確立するためのコードとを含んでいる。
【００２２】
［００２２］
開示の追加の態様において、コンピュータプログラムプロダクトは、その上に記録されているプログラムコードを有しているコンピュータ読み取り可能媒体を有している。このプログラムコードは、コンピュータに、ユーザデバイスによって、低周波数において少なくとも１つのネットワークデバイスと通信させるためのコードと、ユーザデバイスにおいて、低周波数における通信に関係付けられている粗チャネル特性に基づく、ユーザデバイスに向けられた高周波数通信を受信するためのコードとを含んでいる。
【図面の簡単な説明】
【００２３】
【図１】［００２３］  図１は、移動体通信システムの例を概念的に図示しているブロックダイヤグラムである。
【図２】［００２４］  図２は、移動体通信システムにおけるダウンリンクフレーム構造の例を概念的に図示しているブロックダイヤグラムである。
【図３】［００２５］  図３は、アップリンクＬＴＥ（登録商標）／−Ａ通信における例示的なフレーム構造を概念的に図示しているブロックダイヤグラムである。
【図４】［００２６］  図４は、開示の１つの態様にしたがって、ヘテロジニアスネットワークにおける時分割多重化（ＴＤＭ）パーティショニングを概念的に図示しているブロックダイヤグラムである。
【図５】［００２７］  図５は、本開示の１つの態様にしたがって構成されている基地局／ｅＮＢおよびＵＥの設計を、概念的に図示しているブロックダイヤグラムである。
【図６】［００２８］  図６は、電気通信システムの例を概念的に図示しているブロックダイヤグラムである。
【図７】［００２９］  図７は、本開示の１つの態様を実現するように実行される例示的なブロックを図示している機能ブロックダイヤグラムである。
【図８】［００３０］  図８は、本開示の１つの態様を実現するように実行される例示的なブロックを図示している機能ブロックダイヤグラムである。
【図９】［００３１］  図９は、本開示の１つの態様を実現するように実行される例示的なブロックを図示している機能ブロックダイヤグラムである。
【詳細な説明】
【００２４】
［００３２］
添付している図面に関連して以下に明らかにする詳細な説明は、さまざまなコンフィギュレーションの説明として意図しているものであり、開示の範囲を限定することを意図してはいない。むしろ、詳細な説明は、進歩性を有する主題事項の完全な理解を提供する目的のための、特定の詳細を含んでいる。これらの特定の詳細はケース毎に要求されるのではなく、いくつかのインスタンスにおいて、プレゼンテーションを明確にするために、よく知られている構造およびコンポーネントをブロックダイヤグラムの形態で示していることが、当業者に明白となるだろう。
【００２５】
［００３３］
ここで記述する技術は、ＣＤＭＡ、ＴＤＭＡ、ＦＤＭＡ、ＯＦＤＭＡ、ＳＣ−ＦＤＭＡ、および他のネットワークのような、さまざまなワイヤレス通信ネットワークに対して使用してもよい。用語“ネットワーク”および“システム”は、交換可能に使用することが多い。ＣＤＭＡネットワークは、ユニバーサル地上無線アクセス（ＵＴＲＡ）、電気通信工業協会（ＴＩＡ）ＣＤＭＡ２０００（登録商標）、およびこれらに類するもののような無線技術を実現することができる。ＵＴＲＡ技術は、ワイドバンドＣＤＭＡ（ＷＣＤＭＡ（登録商標））と、ＣＤＭＡの他の変形とを含んでいる。ＣＤＭＡ２０００技術は、電子工業会（ＥＩＡ）およびＴＩＡによる、ＩＳ−２０００標準規格、ＩＳ−９５標準規格、およびＩＳ−８５６標準規格を含んでいる。ＴＤＭＡネットワークは、グローバルシステムフォーモバイルコミュニケーション（ＧＳＭ（登録商標））のような無線技術を実現することができる。ＯＦＤＭＡネットワークは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュＯＦＤＭ、およびこれらに類するもののような無線技術を実現することができる。ＵＴＲＡ技術およびＥ−ＵＴＲＡ技術は、ユニバーサルモバイルテレコミュニケーションシステム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳのより新たなリリースである。ＵＴＲＡ、Ｅ−ＵＴＲＡ、ＵＭＴＳ、ＬＴＥ、ＬＴＥ−Ａ、およびＧＳＭは、“第３世代パートナーシッププロジェクト”（３ＧＰＰ）と呼ばれる機関による文書中に記述されている。ＣＤＭＡ２０００およびＵＭＢは、“第３世代パートナーシッププロジェクト２”（３ＧＰＰ２）と呼ばれる機関による文書中に記述されている。ここで記述する技術は、上述したワイヤレスネットワークおよび無線アクセス技術とともに、他のワイヤレスネットワークおよび無線アクセス技術に対して使用してもよい。明確にするために、技術のある態様を、（代替で、一緒に“ＬＴＥ／−Ａ”と呼ぶ）ＬＴＥまたはＬＴＥ−Ａに対して以下で記述しており、以下の記述の多くにおいて、このようなＬＴＥ／−Ａ専門用語を使用する。
【００２６】
［００３４］
図１は、通信のためのワイヤレスネットワーク１００を示しており、ワイヤレスネットワーク１００は、ＬＴＥ−Ａネットワークであるかもしれない。ワイヤレスネットワーク１００は、多数の進化型ノードＢ（ｅＮＢ）１１０および他のネットワークエンティティを含んでいる。ｅＮＢは、ＵＥと通信する局であってもよく、基地局、ノードＢ、アクセスポイント、およびこれらに類するもので呼ばれることもある。各ｅＮＢ１１０は、特定の地理エリアに対する通信カバレッジを提供することができる。３ＧＰＰにおいて、用語“セル”は、用語が使用される状況に依存して、ｅＮＢのこの特定の地理カバレッジエリア、および／または、カバレッジエリアを担当しているｅＮＢサブシステムのことを指すことがある。
【００２７】
［００３５］
ｅＮＢは、マクロセル、ピコセル、フェムトセル、および／または他のタイプのセルに対する通信カバレッジを提供することができる。マクロセルは一般的に、比較的広い地理エリア（例えば、半径数キロメートル）をカバーし、ネットワークプロバイダに関するサービス加入を有するＵＥによる、制限されていないアクセスを可能にすることができる。ピコセルは一般的に、比較的より小さい地理エリアをカバーし、ネットワークプロバイダに関するサービス加入を有するＵＥによる、制限されていないアクセスを可能にすることができる。フェムトセルも一般的に、比較的小さい地理エリア（例えば、ホーム）をカバーし、制限されていないアクセスに加えて、フェムトセルとの関係を有するＵＥ（例えば、閉じられた加入者グループ（ＣＳＧ）中のＵＥ、ホーム中のユーザのＵＥ、およびこれらに類するもの）による、制限されたアクセスも提供することができる。マクロセルに対するｅＮＢは、マクロｅＮＢと呼ばれることがある。ピコセルに対するｅＮＢは、ピコｅＮＢと呼ばれることがある。フェムトセルに対するｅＮＢは、フェムトｅＮＢまたはホームｅＮＢと呼ばれることがある。図１において示している例では、ｅＮＢ１１０ａ、１１０ｂ、および１１０ｃはそれぞれ、マクロセル１０２ａ、１０２ｂ、および１０２ｃに対するマクロｅＮＢである。ｅＮＢ１１０ｘは、ピコセル１０２ｘに対するピコｅＮＢである。ｅＮＢ１１０ｙおよび１１０ｚはそれぞれ、フェムトセル１０２ｙおよび１０２ｚに対するフェムトｅＮＢである。ｅＮＢは、１つまたは複数の（例えば、２つ、３つ、４つ、およびこれらに類する数の）セルをサポートすることができる。
【００２８】
［００３６］
ワイヤレスネットワーク１００は中継局も含んでいる。中継局は、アップストリーム局（例えば、ｅＮＢ、ＵＥ、またはこれらに類するもの）からデータおよび／または他の情報の送信を受信し、ダウンストリーム局（例えば、別のＵＥ、別のｅＮＢ、またはこれらに類するもの）にデータおよび／または他の情報の送信を送る局である。中継局はまた、他のＵＥに対して送信を中継するＵＥであってもよい。図１において示している例では、中継局１１０ｒは、ｅＮＢ１１０ａおよびＵＥ１２０ｒと通信し、中継局１１０ｒは、２つのネットワークエレメント（ｅＮＢ１１０ａとＵＥ１２０ｒ）の間の通信を容易にするために、それらの間の中継器として動作する。中継局は、中継ｅＮＢ、中継器、およびこれらに類するもので呼ばれることもある。
【００２９】
［００３７］
ワイヤレスネットワーク１００は、同期または非同期動作をサポートすることができる。同期動作に対しては、ｅＮＢは、類似するフレームタイミングを有しており、異なるｅＮＢからの送信が、時間においておおよそ整列しているかもしれない。非同期動作に対しては、ｅＮＢは、異なるフレームタイミングを有しており、異なるｅＮＢからの送信は、時間において整列していないかもしれない。
【００３０】
［００３８］
ＵＥ１２０は、ワイヤレスネットワーク１００全体を通して分散しており、各ＵＥは静的であっても、または移動体であってもよい。ＵＥは、端末、移動局、加入者ユニット、局、またはこれらに類するもので呼ばれることもある。ＵＥは、セルラ電話機、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレス電話機、ワイヤレスローカルループ（ＷＬＬ）局、またはこれらに類するものであるかもしれない。ＵＥは、マクロｅＮＢ、ピコｅＮＢ、フェムトｅＮＢ、中継器、およびこれらに類するものと通信することができる。図１において、両端矢印を有する実線は、ＵＥと担当ｅＮＢとの間の所望送信を示している。担当ｅＮＢは、ダウンリンクおよび／またはアップリンク上でＵＥを担当するように指定されているｅＮＢである。両端矢印を有する破線は、ＵＥとｅＮＢとの間の干渉送信を示している。
【００３１】
［００３９］
ＬＴＥ／−Ａは、ダウンリンク上で直交周波数分割多重化（ＯＦＤＭ）を、アップリンク上で単一搬送波周波数分割多重化（ＳＣ−ＦＤＭ）を利用する。ＯＦＤＭおよびＳＣ−ＦＤＭは、システム帯域幅を複数（Ｋ）の直交副搬送波に区分し、副搬送波は一般的に、トーン、ビン、またはこれらに類するもので呼ばれもする。各副搬送波は、データにより変調されているかもしれない。一般的に、変調シンボルは、ＯＦＤＭにより周波数ドメインで送られ、ＳＣ−ＦＤＭにより時間ドメインで送られる。隣接する副搬送波の間のスペーシングは固定されているかもしれず、副搬送波の総数（Ｋ）は、システム帯域幅に依存しているかもしれない。例えば、１．４、３、５、１０、１５、または２０メガヘルツ（ＭＨｚ）の対応するシステム帯域幅に対して、Ｋはそれぞれ、７２、１８０、３００、６００、９００、および１２００に等しい。システム帯域幅はまた、副帯域に区分されているかもしれない。例えば、副帯域は、１．０８ＭＨｚをカバーし、１．４、３、５、１０、１５、または２０ＭＨｚの対応するシステム帯域幅に対して、１、２、４、８、または１６個の副帯域がそれぞれ存在する。
【００３２】
［００４０］
図２は、ＬＴＥ／−Ａにおいて使用されるダウンリンクフレーム構造を示している。ダウンリンクに対する送信タイムラインが、無線フレームの単位に区分されている。各無線フレームは、予め定められた持続期間（例えば、１０ミリ秒（ｍｓ））を有しており、０ないし９のインデックスを有する１０個のサブフレームに区分されている。各サブフレームは、２個のスロットを含んでいる。各無線フレームは、したがって、０ないし１９のインデックスを有する２０個のスロットを含んでいる。各スロットは、Ｌ個のシンボル期間を含んでおり、例えば、（図２において示しているように）ノーマルサイクリックプリフィックスに対して７個のシンボル期間、または、拡張サイクリックプリフィックスに対して６個のシンボル期間を含んでいる。各サブフレーム中の２Ｌ個のシンボル期間に、０ないし２Ｌ−１のインデックスが割り当てられている。利用可能な時間周波数リソースが、リソースブロックに区分されている。各リソースブロックは、１個のスロット中でＮ個の副搬送波（例えば、１２個の副搬送波）をカバーしている。
【００３３】
［００４１］
ＬＴＥ／−Ａでは、ｅＮＢは、ｅＮＢにおける各セルに対して、１次同期信号（ＰＳＳ）および２次同期信号（ＳＳＳ）を送ることができる。図２において示しているように、ノーマルサイクリックプリフィックスを有する各無線フレームのサブフレーム０および５の各々におけるシンボル期間６および５中で、１次および２次同期信号をそれぞれ送ってもよい。同期信号は、セルの検出および獲得のためにＵＥによって使用することができる。ｅＮＢは、サブフレーム０のスロット１におけるシンボル期間０から３中で、物理ブロードキャストチャネル（ＰＢＣＨ）を送ってもよい。ＰＢＣＨは、あるシステム情報を伝えることができる。
【００３４】
［００４２］
図２において見られるように、ｅＮＢは、各サブフレームの最初のシンボル期間中に、物理制御フォーマットインジケータチャネル（ＰＣＦＩＣＨ）を送ってもよい。ＰＣＦＩＣＨは、制御チャネルに対して使用されるシンボル期間の数（Ｍ）を伝達することができる。Ｍは、１、２、または３に等しく、サブフレーム毎に変化してもよい。例えば、１０個より少ないリソースブロックを有する、スモールシステム帯域幅に対しては、Ｍはまた、４に等しいかもしれない。図２において示している例では、Ｍ＝３である。ｅＮＢは、各サブフレームの最初のＭ個のシンボル期間中に、物理ＨＡＲＱインジケータチャネル（ＰＨＩＣＨ）および物理ダウンリンク制御チャネル（ＰＤＣＣＨ）を送ってもよい。図２において示している例では、ＰＤＣＣＨおよびＰＨＩＣＨはまた、最初の３個のシンボル期間中に含まれている。ＰＨＩＣＨは、ハイブリッド自動再送信（ＨＡＲＱ）をサポートするための情報を伝えることができる。ＰＤＣＣＨは、ＵＥに対するリソース割り振りに関する情報と、ダウンリンクチャネルに対する制御情報とを伝えることができる。ｅＮＢは、各サブフレームの残りのシンボル期間中で、物理ダウンリンク共有チャネル（ＰＤＳＣＨ）を送ることができる。ＰＤＳＣＨは、ダウンリンク上のデータ送信に対してスケジューリングされているＵＥに対してデータを伝えることができる。
【００３５】
［００４３］
各サブフレームの制御セクションすなわち各サブフレームの最初のシンボル期間中にＰＨＩＣＨおよびＰＤＣＣＨを送ることに加えて、ＬＴＥ−Ａは、同様に、各サブフレームのデータ部分中でも、これらの制御指向チャネルを送信することができる。図２において示しているように、データ領域を利用するこれらの新たな制御設計では、各サブフレームのその後のシンボル期間中に、例えば、拡張物理ダウンリンク制御チャネル（ＥＰＤＣＣＨ）が含まれている。ＥＰＤＣＣＨは、新たなタイプの制御チャネルである。新たな制御チャネルは、周波数分割多重化（ＦＤＭ）、時分割多重化（ＴＤＭ）、またはＦＤＭとＴＤＭとを組み合わせたものの形態であってもよい。
【００３６】
［００４４］
ｅＮＢは、ｅＮＢによって使用されるシステム帯域幅の中心の１．０８ＭＨｚにおいて、ＰＳＳ、ＳＳＳ、およびＰＢＣＨを送るかもしれない。ｅＮＢは、これらのチャネルが送られる各シンボル期間中のシステム帯域幅全体にわたって、ＰＣＦＩＣＨおよびＰＨＩＣＨを送るかもしれない。ｅＮＢは、システム帯域幅のある部分中で、ＵＥのグループにＰＤＣＣＨを送るかもしれない。ｅＮＢは、システム帯域幅の特定の部分中で、特定のＵＥにＰＤＳＣＨを送るかもしれない。ｅＮＢは、ＰＳＳ、ＳＳＳ、ＰＢＣＨ、ＰＣＦＩＣＨ、およびＰＨＩＣＨを、ブロードキャスト方法ですべてのＵＥに送ってもよく、ＰＤＣＣＨを、ユニキャスト方法で特定のＵＥに送ってもよく、ＰＤＳＣＨも、ユニキャスト方法で特定のＵＥに送ってもよい。
【００３７】
［００４５］
各シンボル期間中で、多数のリソースエレメントが利用可能であるかもしれない。各リソースエレメントは、１個のシンボル期間中の１個の副搬送波をカバーするかもしれず、実数値または複素数値である１個の変調シンボルを送るのに使用されるかもしれない。各シンボル期間中の、基準信号に対して使用されていないリソースエレメントは、リソースエレメントグループ（ＲＥＧ）に構成されるかもしれない。各ＲＥＧは、１個のシンボル期間中の４個のリソースエレメントを含んでいるかもしれない。ＰＣＦＩＣＨが、シンボル期間０中の、周波数に渡っておおよそ等しくスペースされているかもしれない４個のＲＥＧを占有するかもしれない。ＰＨＩＣＨは、１つ以上の構成可能なシンボル期間中の、周波数に渡って拡散されているかもしれない３個のＲＥＧを占有するかもしれない。例えば、ＰＨＩＣＨに対する３個のＲＥＧは、シンボル期間０中にすべて属しているかもしれない、または、シンボル期間０、１、および２中に拡散されているかもしれない。ＰＤＣＣＨは、最初のＭ個のシンボル期間中の、利用可能なＲＥＧから選択される９、１８、３２、または６４個のＲＥＧを占有しているかもしれない。ＲＥＧのある組み合わせのみが、ＰＤＣＣＨに対して許容されているかもしれない。
【００３８】
［００４６］
ＵＥは、ＰＨＩＣＨおよびＰＣＦＩＣＨに対して使用される特定のＲＥＧを知っているかもしれない。ＵＥは、ＰＤＣＣＨを発見するために、ＲＥＧの異なる組み合わせをサーチするかもしれない。サーチする組み合わせの数は典型的に、ＰＤＣＣＨに対して許容されている組み合わせの数よりも少ない。ｅＮＢは、ＵＥがサーチする組み合わせのうちの何らかにおいて、ＵＥにＰＤＣＣＨを送るかもしれない。
【００３９】
［００４７］
ＵＥは、複数のｅＮＢのカバレッジ内にあるかもしれない。ＵＥを担当するために、これらのｅＮＢのうちの１つが選択されるかもしれない。受信電力、パス損失、信号対ノイズ比（ＳＮＲ）などのようなさまざまな基準に基づいて、担当ｅＮＢは選択されるかもしれない。
【００４０】
［００４８］
図３は、アップリンクロングタームエボリューション（ＬＴＥ／−Ａ）通信における、例示的なフレーム構造３００を図示しているブロックダイヤグラムである。アップリンクに対して利用可能なリソースブロック（ＲＢ）が、データセクションと制御セクションとに区分されている。制御セクションは、システム帯域幅の２つの端において形成されており、構成可能なサイズを有している。制御セクション中のリソースブロックを、制御情報の送信のためにＵＥに割り当ててもよい。データセクションは、制御セクション中に含まれていないすべてのリソースブロックを含んでいる。図３における設計は、結果として、連続する副搬送波を含むデータセクションとなり、これにより、データセクション中の連続する副搬送波のすべてを単一のＵＥに割り当てることが可能になる。
【００４１】
［００４９］
制御情報をｅＮＢに送信するために、制御セクション中のリソースブロックをＵＥに割り当ててもよい。データをｅＮＢに送信するために、データセクション中のリソースブロックもＵＥに割り当ててもよい。制御セクション中の割り当てられたリソースブロック３１０ａおよび３１０ｂ上における物理アップリンク制御チャネル（ＰＵＣＣＨ）中で、ＵＥは制御情報を送信することができる。データセクション中の割り当てられたリソースブロック３２０ａおよび３２０ｂ上における物理アップリンク共有チャネル（ＰＵＳＣＨ）中で、ＵＥは、データのみを、または、データと制御情報の両方を送信することができる。図３において示しているように、アップリンク送信は、サブフレームの両方のスロットにまたがっていてもよく、周波数に渡ってホッピングしていてもよい。
【００４２】
［００５０］
戻って図１を参照すると、ワイヤレスネットワーク１００は、多様な組のｅＮＢ１１０（すなわち、マクロｅＮＢ、ピコｅＮＢ、フェムトｅＮＢ、および中継器）を使用して、単位エリア毎にシステムのスペクトル効率を向上させている。ワイヤレスネットワーク１００は、そのスペクトルカバレッジに対してこのような異なるｅＮＢを使用しているので、ヘテロジニアスネットワークと呼ばれることもある。マクロｅＮＢ１１０ａ〜ｃは通常、入念に計画されており、ワイヤレスネットワーク１００のプロバイダによって配置されている。マクロｅＮＢ１１０ａ〜ｃは一般的に、高い電力レベル（例えば、５Ｗ〜４０Ｗ）で送信を行う。相当により低い電力レベル（例えば、１００ｍＷ〜２Ｗ）で一般的に送信を行うピコｅＮＢ１１０ｘおよび中継局１１０ｒは、マクロｅＮＢ１１０ａ〜ｃによって提供されるカバレッジエリア中のカバレッジホールをなくすために、および、ホットスポットにおける容量を向上させるために、比較的計画されていない態様で配備される。フェムトｅＮＢ１１０ｙ〜ｚは、典型的にワイヤレスネットワーク１００とは独立して配備されるが、それにもかかわらず、それらの管理者によって認可された場合の、ワイヤレスネットワーク１００への潜在的なアクセスポイントとして、あるいは、少なくとも、ワイヤレスネットワーク１００の他のｅＮＢ１１０と通信してリソース調整および干渉管理の調整を実行することができるアクティブおよびアウェアなｅＮＢとして、のいずれかで、ワイヤレスネットワーク１００のカバレッジエリアに組み込まれることがある。フェムトｅＮＢ１１０ｙ〜ｚも典型的に、マクロｅＮＢ１１０ａ〜ｃよりも、相当に低い電力レベル（例えば、１００ｍＷ〜２Ｗ）で送信を行う。
【００４３】
［００５１］
ワイヤレスネットワーク１００のようなヘテロジニアスネットワークの動作において、各ＵＥは通常、より良好な信号品質を有するｅＮＢ１１０によって担当される一方で、他のｅＮＢ１１０から受信される好ましくない信号は干渉として取り扱われる。このような動作原理は著しく準最適な性能につながることがあるが、ｅＮＢ１１０の間のインテリジェントリソース調整や、より良好なサーバ選択ストラテジーや、効率の良い干渉管理に対するより最新の技術を使用することによって、ネットワーク性能における増進がワイヤレスネットワーク１００において実現される。
【００４４】
［００５２］
ピコｅＮＢ１１０ｘのようなピコｅＮＢは、マクロｅＮＢ１１０ａ〜ｃのようなマクロｅＮＢと比較したとき、相当により低い送信電力によって特徴付けられる。ピコｅＮＢはまた、通常、ワイヤレスネットワーク１００のようなネットワーク周りに、アドホックの態様で配置される。この計画されていない配備が理由で、ワイヤレスネットワーク１００のようなピコｅＮＢ配置を有するワイヤレスネットワークが、低い信号対干渉条件を有する広いエリアを有することを予想することができ、これは、カバレッジエリアまたはセルの端におけるＵＥ（“セル端”ＵＥ）への制御チャネル送信に対する、よりチャレンジングなＲＦ環境に役立つことができる。さらに、マクロｅＮＢ１１０ａ〜ｃの送信電力レベルとピコｅＮＢ１１０ｘの送信電力レベルとの間の潜在的に大きな差異（例えば、おおよそ２０ｄＢ）は、混合された配備において、ピコｅＮＢ１１０ｘのダウンリンクカバレッジエリアがマクロｅＮＢ１１０ａ〜ｃのものよりもずっと小さいことを意味する。
【００４５】
［００５３］
しかしながら、アップリンクのケースでは、アップリンク信号の信号強度は、ＵＥによって管理され、したがって、任意のタイプのｅＮＢ１１０によって受信されたときに類似するだろう。ｅＮＢ１１０に対するアップリンクカバレッジエリアが大ざっぱに言って同一または類似であることにより、アップリンクハンドオフ境界は、チャネル利得に基づいて決定される。これは、ダウンリンクハンドオーバー境界とアップリンクハンドオーバー境界との間の不一致につながることがある。付加的なネットワーク適応なしでは、不一致は、ダウンリンクおよびアップリンクのハンドオーバー境界がより近く一致しているマクロｅＮＢのみのホモジニアスネットワークにおいてよりも、ワイヤレスネットワーク１００において、サーバ選択、またはｅＮＢへのＵＥの関係付けをより難しくするだろう。
【００４６】
［００５４］
サーバ選択がダウンリンク受信信号強度にほとんど基づいている場合は、ワイヤレスネットワーク１００のようなヘテロジニアスネットワークの混合されたｅＮＢ配備の有用性は、大いに減少されるだろう。これは、マクロｅＮＢ１１０ａ〜ｃのより高いダウンリンク受信信号強度が利用可能なＵＥのすべてを引きつける一方で、ピコｅＮＢ１１０ｘがそのずっと弱いダウンリンク送信電力が理由で何らＵＥを担当していないかもしれないので、マクロｅＮＢ１１０ａ〜ｃのようなより高い電力のマクロｅＮＢのより広いカバレッジエリアが、セルカバレッジを、ピコｅＮＢ１１０ｘのようなピコｅＮＢと分けることの利益を制限することが理由である。さらに、マクロｅＮＢ１１０ａ〜ｃは、それらのＵＥを効率良く担当するのに十分なリソースを有していない可能性がある。したがって、ワイヤレスネットワーク１００は、ピコｅＮＢ１１０ｘのカバレッジエリアを広げることによって、マクロｅＮＢ１１０ａ〜ｃとピコｅＮＢ１１０ｘとの間で負荷をアクティブにバランスさせるように試行するだろう。この概念を、セル範囲拡張（ＣＲＥ）と呼ぶ。
【００４７】
［００５５］
サーバ選択を決定する方法を変化させることによって、ワイヤレスネットワーク１００はＣＲＥを達成する。サーバ選択をダウンリンク受信信号強度に基づかせる代わりに、選択は、ダウンリンク信号の品質により基づいている。１つのこのような品質ベースの決定では、サーバ選択は、最小のパス損失をＵＥに提供するｅＮＢを決定することに基づいている。さらに、ワイヤレスネットワーク１００は、マクロｅＮＢ１１０ａ〜ｃとピコｅＮＢ１１０ｘとの間のリソースの固定パーティショニングを提供する。しかしながら、負荷のこのアクティブなバランシングによってでさえ、ピコｅＮＢ１１０ｘのようなピコｅＮＢによって担当されるＵＥに対して、マクロｅＮＢ１１０ａ〜ｃからのダウンリンク干渉を緩和すべきである。これは、ＵＥにおける干渉消去、ｅＮＢ１１０間のリソース調整、またはこれらに類するものを含むさまざまな方法によって遂行することができる。
【００４８】
［００５６］
ワイヤレスネットワーク１００のような、セル範囲拡張を有するヘテロジニアスネットワークでは、マクロｅＮＢ１１０ａ〜ｃのようなより高い電力のｅＮＢから送信される、より強いダウンリンク信号の存在下で、ＵＥが、ピコｅＮＢ１１０ｘのようなより低い電力のｅＮＢからサービスを取得するために、ピコｅＮＢ１１０ｘは、マクロｅＮＢ１１０ａ〜ｃの支配的干渉信号との制御チャネルおよびデータチャネルの干渉調整に携わる。干渉を管理するために、干渉調整のための多くの異なる技術を用いてもよい。例えば、セル間干渉調整（ＩＣＩＣ）を使用して、共通チャネル配備におけるセルからの干渉を低減させる。１つのＩＣＩＣメカニズムは、適応リソースパーティショニングである。適応リソースパーティショニングは、サブフレームをあるｅＮＢに割り当てる。第１のｅＮＢに割り当てられたサブフレーム中で、隣接ｅＮＢは送信を行わない。したがって、第１のｅＮＢによって担当されるＵＥによって経験される干渉は低減される。サブフレーム割り当ては、アップリンクチャネルとダウンリンクチャネルの両方において実行してもよい。
【００４９】
［００５７］
例えば、３つのクラスのサブフレーム：保護されたサブフレーム（Ｕサブフレーム）、禁止されたサブフレーム（Ｎサブフレーム）、および共通サブフレーム（Ｃサブフレーム）の間で、サブフレームが割り振られる。保護されたサブフレームは、もっぱら第１のｅＮＢによって使用するために、第１のｅＮＢに割り当てられる。保護されたサブフレームは、隣接ｅＮＢからの干渉がないことに基づいて、“クリーンな”サブフレームと呼ばれることもある。禁止されたサブフレームは、隣接ｅＮＢに割り当てられているサブフレームであり、第１のｅＮＢは、禁止されたサブフレームの間はデータを送信することが禁止されている。例えば、第１のｅＮＢの禁止されたサブフレームは、第２の干渉ｅＮＢの保護されたサブフレームに対応している。したがって、第１のｅＮＢの保護されたサブフレームの間は、第１のｅＮＢが、データを送信する唯一のｅＮＢである。共通サブフレームは、複数のｅＮＢによるデータ送信のために使用してよい。共通サブフレームは、他のｅＮＢからの干渉がありうることが理由で、“クリーンではない”サブフレームと呼ばれることもある。
【００５０】
［００５８］
少なくとも１つの保護されたサブフレームが、期間毎に静的に割り当てられる。いくつかのケースでは、１つの保護されたサブフレームのみが静的に割り当てられる。例えば、期間が８ミリ秒である場合に、毎８ミリ秒の間に、１つの保護されたサブフレームがｅＮＢに静的に割り当てられる。他のサブフレームは、動的に割り振られるかもしれない。
【００５１】
［００５９］
適応リソースパーティショニング情報（ＡＲＰＩ）により、非静的に割り当てられるサブフレームを、動的に割り振ることが可能になる。保護されたサブフレーム、禁止されたサブフレーム、または共通サブフレームの任意のものが、動的に割り振られる（それぞれ、ＡＵサブフレーム、ＡＮサブフレーム、ＡＣサブフレーム）。動的割り当ては、例えば、１００ミリ秒毎またはより小さい時間毎のように、高速に変化してもよい。
【００５２】
［００６０］
ヘテロジニアスネットワークは、異なる電力クラスのｅＮＢを有しているかもしれない。例えば、電力クラスが減少する順に、マクロｅＮＢ、ピコｅＮＢ、およびフェムトｅＮＢとして、３つの電力クラスを定義する。マクロｅＮＢ、ピコｅＮＢ、およびフェムトｅＮＢが共通チャネル配備にあるとき、マクロｅＮＢ（アグレッサｅＮＢ）の電力スペクトル密度（ＰＳＤ）は、ピコｅＮＢおよびフェムトｅＮＢ（犠牲ｅＮＢ）のＰＳＤよりも大きく、ピコｅＮＢおよびフェムトｅＮＢへの大量の干渉を生成させるかもしれない。保護されたサブフレームを使用して、ピコｅＮＢおよびフェムトｅＮＢへの干渉を低減または最小化することができる。すなわち、アグレッサｅＮＢにおける禁止されたサブフレームに対応するように、保護されたサブフレームを犠牲ｅＮＢに対してスケジューリングしてもよい。
【００５３】
［００６１］
図４は、開示の１つの態様にしたがって、ヘテロジニアスネットワークにおける時分割多重化（ＴＤＭ）パーティショニングを図示しているブロックダイヤグラムである。ブロックの第１の行は、フェムトｅＮＢに対するサブフレーム割り当てを図示しており、ブロックの第２の行は、マクロｅＮＢに対するサブフレーム割り当てを図示している。ｅＮＢの各々は、静的な保護されたサブフレームを有しており、静的な保護されたサブフレームの間、他方のｅＮＢは、静的な禁止されたサブフレームを有している。例えば、フェムトｅＮＢは、サブフレーム０における禁止されたサブフレーム（Ｎサブフレーム）に対応する、サブフレーム０における保護されたサブフレーム（Ｕサブフレーム）を有している。同様に、マクロｅＮＢは、サブフレーム７における禁止されたサブフレーム（Ｎサブフレーム）に対応する、サブフレーム７における保護されたサブフレーム（Ｕサブフレーム）を有している。サブフレーム１〜６は、保護されたサブフレーム（ＡＵ）、禁止されたサブフレーム（ＡＮ）、および共通サブフレーム（ＡＣ）のいずれかとして、動的に割り当てられている。サブフレーム５および６における動的に割り当てられた共通サブフレーム（ＡＣ）の間、フェムトｅＮＢとマクロｅＮＢの両方がデータを送信することができる。
【００５４】
［００６２］
（Ｕ／ＡＵサブフレームのような）保護されたサブフレームは、アグレッサｅＮＢが送信するのを禁止されているので、低減された干渉および高いチャネル品質を有している。（Ｎ／ＡＮサブフレームのような）禁止されたサブフレームは、データ送信を有しておらず、犠牲ｅＮＢが低い干渉レベルでデータを送信することを可能にする。（Ｃ／ＡＣサブフレームのような）共通サブフレームは、データを送信する隣接ｅＮＢの数に依存するチャネル品質を有している。例えば、隣接ｅＮＢが共通サブフレーム上でデータを送信している場合は、共通サブフレームのチャネル品質は、保護されたサブフレームよりも低いかもしれない。共通サブフレーム上のチャネル品質は、アグレッサｅＮＢによって強く影響を及ぼされる拡張境界エリア（ＥＢＡ）ＵＥに対しても、より低いかもしれない。ＥＢＡ  ＵＥは、第１のｅＮＢに属しているかもしれないが、第２のｅＮＢのカバレッジエリア中にも位置付けられているかもしれない。例えば、フェムトｅＮＢカバレッジの範囲限界の近くにあり、マクロｅＮＢと通信するＵＥが、ＥＢＡ  ＵＥである。
【００５５】
［００６３］
ＬＴＥ／−Ａにおいて用いることができる別の例示的な干渉管理スキームは、低速適応干渉管理である。干渉管理に対するこのアプローチを使用して、スケジューリング間隔よりずっと大きな時間スケールに渡って、リソースが交渉され、割り振られる。スキームの目的は、ネットワークの総ユーティリティを最大にする、時間リソースまたは周波数リソースのすべてに渡る、送信ｅＮＢおよびＵＥのすべてに対する送信電力の組み合わせを見つけることである。“ユーティリティ”は、ユーザデータレート、サービスの品質（ＱｏＳ）の遅延フロー、および公平性メトリックの関数として定義することができる。このようなアルゴリズムは、最適化を解明するために使用される情報のすべてへのアクセスを有し、送信エンティティのすべてに渡る制御を有する中央エンティティによって計算することができる。この中央エンティティは、常に実用的というわけではなく、または、常に望ましいというわけでさえもない。したがって、代替的な態様では、ある組のノードからのチャネル情報に基づいてリソース使用決定を行う、分散アルゴリズムを使用する。したがって、中央エンティティを使用してか、または、ネットワーク中のさまざまな組のノード／エンティティに渡ってアルゴリズムを分散させることによってかのいずれかで、低速適応干渉アルゴリズムを配備することができる。
【００５６】
［００６４］
ワイヤレスネットワーク１００のようなヘテロジニアスネットワークの配備では、１つ以上の干渉ｅＮＢからの高い干渉をＵＥが観測する支配的干渉シナリオで、ＵＥは動作するかもしれない。支配的干渉シナリオは、制限された関係が原因で生じるかもしれない。例えば、図１において、ＵＥ１２０ｙは、フェムトｅＮＢ１１０ｙの近くにあり、ｅＮＢ１１０ｙに対して高い受信電力を有する。しかしながら、ＵＥ１２０ｙは、制限された関係が原因で、フェムトｅＮＢ１１０ｙにアクセスすることができず、（図１において示している）マクロｅＮＢ１１０ｃに接続する、または、（図１において示していない）より低い受信電力をまた有するフェムトｅＮＢ１１０ｚに接続する。ＵＥ１２０ｙは、ダウンリンク上で、フェムトｅＮＢ１１０ｙからの高い干渉を観測するかもしれず、アップリンク上でも、ｅＮＢ１１０ｙへの高い干渉を生じさせるかもしれない。調整干渉管理を使用して、ｅＮＢ１１０ｃとフェムトｅＮＢ１１０ｙは、バックホール１３４を通して通信して、リソースを交渉することができる。交渉において、フェムトｅＮＢ１１０ｙは、それのチャネルリソースの１つの上での送信をやめることに同意し、その結果、ＵＥ１２０ｙは、その同一のチャネルを通してｅＮＢ１１０ｃと通信するので、フェムトｅＮＢ１１０ｙからの干渉をそれほど経験しないだろう。
【００５７】
［００６５］
このような支配的干渉シナリオにおける、ＵＥにおいて観測される信号電力の差異に加えて、ダウンリンク信号のタイミング遅延もまた、ＵＥと複数のｅＮＢとの間の異なる距離が理由で、同期システム中でさえ、ＵＥによって観測されるかもしれない。同期システム中のｅＮＢは推定上、システムに渡って同期されている。しかしながら、例えば、マクロｅＮＢから５ｋｍの距離にあるＵＥを考えると、そのマクロｅＮＢから受信される任意のダウンリンク信号の伝播遅延は、おおよそ１６．６７マイクロ秒（５ｋｍ÷３×１０８、すなわち、高速‘ｃ’）遅延する。マクロｅＮＢからのそのダウンリンク信号を、ずっと近くのフェムトｅＮＢからのダウンリンク信号と比較すると、タイミング差は有効時間（ＴＴＬ）誤差のレベルに接近する。
【００５８】
［００６６］
さらに、このようなタイミング差は、ＵＥにおける干渉消去に影響を与えるかもしれない。干渉消去は、同一の信号の複数のバージョンの組み合わせの間の相互相関特性を使用することが多い。同一の信号の複数のコピーを組み合わせることによって、信号の各コピーにおいて干渉が存在する可能性があるが同一の位置ではない可能性があるので、干渉をより容易に識別することができる。組み合わせた信号の相互相関を使用して、実際の信号部分を干渉から決定および識別することができ、したがって、干渉を消去することが可能になる。
【００５９】
［００６７］
図５は、基地局／ｅＮＢ１１０とＵＥ１２０との設計のブロックダイヤグラムを示しており、基地局／ｅＮＢ１１０とＵＥ１２０は、図１における基地局／ｅＮＢのうちの１つとＵＥのうちの１つとであるかもしれない。制限された関係のシナリオに対しては、ｅＮＢ１１０は、図１におけるマクロｅＮＢ１１０ｃであるかもしれず、ＵＥ１２０は、ＵＥ１２０ｙであるかもしれない。ｅＮＢ１１０はまた、他の何らかのタイプの基地局であってもよい。ｅＮＢ１１０は、アンテナ５３４ａないし５３４ｔを備えており、ＵＥ１２０は、アンテナ５５２ａないし５５２ｒを備えている。
【００６０】
［００６８］
ｅＮＢ１１０において、送信プロセッサ５２０は、データソース５１２からデータを受け取り、制御装置／プロセッサ５４０から制御情報を受け取る。制御情報は、ＰＢＣＨ、ＰＣＦＩＣＨ、ＰＨＩＣＨ、ＰＤＣＣＨなどに対するものであるかもしれない。データは、ＰＤＳＣＨなどに対するものであるかもしれない。送信プロセッサ５２０は、データおよび制御情報をそれぞれ処理（例えば、エンコードおよびシンボルマッピング）して、データシンボルおよび制御シンボルを取得する。送信プロセッサ５２０は、例えばＰＳＳ、ＳＳＳに対する、基準シンボル、およびセル特有基準信号も発生させるかもしれない。送信（ＴＸ）複数入力複数出力（ＭＩＭＯ）プロセッサ５３０は、適用可能な場合に、データシンボル、制御シンボル、および／または基準シンボル上で、空間処理（例えば、プリコーディング）を実行し、変調器（ＭＯＤ）５３２ａないし５３２ｔに出力シンボルストリームを提供する。各変調器５３２は、（例えば、ＯＦＤＭなどのために）それぞれの出力シンボルストリームを処理して、出力サンプルストリームを取得する。各変調器５３２は、出力サンプルストリームをさらに処理（例えば、アナログにコンバート、増幅、フィルタリング、およびアップコンバート）して、ダウンリンク信号を取得する。変調器５３２ａないし５３２ｔからのダウンリンク信号はそれぞれ、アンテナ５３４ａないし５３４ｔを介して送信される。
【００６１】
［００６９］
ＵＥ１２０において、アンテナ５５２ａないし５５２ｒは、ｅＮＢ１１０からダウンリンク信号を受信し、復調器（ＤＥＭＯＤ）５５４ａないし５５４ｒに受信信号をそれぞれ提供する。各復調器５５４は、それぞれの受信信号を調整（例えば、フィルタリング、増幅、ダウンコンバート、およびデジタル化）して、入力サンプルを取得する。各復調器５５４は、（例えば、ＯＦＤＭなどのために）入力サンプルをさらに処理して、受信シンボルを取得する。ＭＩＭＯ検出器５５６は、すべての復調器５５４ａないし５５４ｒから受信シンボルを取得し、適用可能な場合に、受信シンボル上でＭＩＭＯ検出を実行し、検出シンボルを提供する。受信プロセッサ５５８は、検出シンボルを処理（例えば、復調、デインターリーブ、およびデコード）し、ＵＥ１２０に対するデコードしたデータをデータシンク５６０に提供し、デコードした制御情報を制御装置／プロセッサ５８０に提供する。
【００６２】
［００７０］
アップリンク上で、ＵＥ１２０において、送信プロセッサ５６４が、データソース５６２からの（例えば、ＰＵＳＣＨに対する）データと、制御装置／プロセッサ５８０からの（例えば、ＰＵＣＣＨに対する）制御情報とを受け取って処理する。送信プロセッサ５６４は、基準信号に対する基準シンボルも発生させるかもしれない。送信プロセッサ５６４からのシンボルは、適用可能な場合に、ＴＸ  ＭＩＭＯプロセッサ５６６によってプリコーディングされ、（例えば、ＳＣ−ＦＤＭなどのために）復調器５５４ａないし５５４ｒによってさらに処理され、ｅＮＢ１１０に送信される。ｅＮＢ１１０において、ＵＥ１２０からのアップリンク信号が、アンテナ５３４によって受信され、変調器５３２によって処理され、適用可能な場合に、ＭＩＭＯ検出器５３６によって検出され、受信プロセッサ５３８によってさらに処理されて、デコードされ、ＵＥ１２０によって送られたデータおよび制御情報が取得される。プロセッサ５３８は、デコードされたデータをデータシンク５３９に提供し、デコードされた制御情報を制御装置／プロセッサ５４０に提供する。
【００６３】
［００７１］
制御装置／プロセッサ５４０および５８０はそれぞれ、ｅＮＢ１１０およびＵＥ１２０における動作を指示する。ｅＮＢ１１０における、制御装置／プロセッサ５４０および／または他のプロセッサならびにモジュールが、ここで記述する技術に対するさまざまなプロセスを実行する、または実行の指示をする。ＵＥ１２０における、制御装置／プロセッサ５８０および／または他のプロセッサならびにモジュールも、図７〜９において図示する機能ブロック、および／またはここで記述する技術に対する他のプロセスを実行する、あるいは実行の指示をする。メモリ５４２および５８２はそれぞれ、ｅＮＢ１１０およびＵＥ１２０に対するデータおよびプログラムコードを記憶する。スケジューラ５４４が、ダウンリンクおよび／またはアップリンク上のデータ送信に対してＵＥをスケジューリングする。
【００６４】
［００７２］
図６は、さまざまな態様にしたがって、通信のためのワイヤレスネットワーク６００を示している。ネットワーク６００は、複数のｅＮＢ６１０を含んでいる。各ｅＮＢ６１０は、特定の地理エリアに対して通信カバレッジを提供することができ、例えば、マクロセル６０１と複数のスモールセル６０２〜６０４とが提供されている。図１のシステムに関して上記で説明したように、ｅＮＢ１１０に関して上述した機能性を有するようにマクロセル６０１を実現することができ、ピコセル、フェムトセル、および／または他のタイプのセルとして、スモールセル６０２〜６０４を実現することができることに着目する。
【００６５】
［００７３］
ＵＥ６２０は、ワイヤレスネットワーク６００全体を通して分散しており、各ＵＥは静的であっても、または移動体であってもよい。ＵＥ１２０と同様に、ＵＥ６２０は、端末、移動局、加入者ユニット、局、またはこれらに類するもので呼ばれることもある。ＵＥは、セルラ電話機、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレス電話機、ワイヤレスローカルループ（ＷＬＬ）局、またはこれらに類するものであるかもしれない。ＵＥは、変化する能力を有することができ、いくつかのケースにおいて、マクロｅＮＢおよびスモールセルｅＮＢと通信することができる。いくつかのケースでは、ＵＥは、複数のｅＮＢを同時に利用することができ、低周波数搬送波信号と高周波数搬送波信号の両方を別々にまたは同時にのいずれかで使用して、通信することができる。
【００６６】
［００７４］
ＵＥ６２０とｅＮＢ６１０との間の通信パスを、両端矢印を有する実線として示している。これらのパスをまた、異なる搬送波信号通信周波数を意味するＦ１および／またはＦ２でラベル付けしている。図示している態様では、Ｆ１が低周波数（例えば、４００ＭＨｚ〜３ＧＨｚ）を表しており、Ｆ２が高周波数（例えば、２０ＧＨｚ〜６０ＧＨｚ）を表している。
【００６７】
［００７５］
１つの態様にしたがうと、スモールセル６０２は、Ｆ１とＦ２の両方の周波数における通信をサポートしており、Ｆ１とＦ２をまたサポートするＵＥ６２０と通信する。このケースでは、スモールセル６０２のＵＥ６２０は、Ｆ１において、スモールセル６０２のｅＮＢ６１０と制御および／またはチャネル情報を送信および／または受信する一方で、Ｆ２において、データ送信を交換するように構成されている。チャネル情報は、接続を確立するためと維持するためとの両方でスモールセル６０２のＵＥ６２０とｅＮＢとの接続を支援するのに使用することができる、何らかの情報を含んでいるかもしれない。例えば、チャネル情報は、Ｆ２における通信を確立するのに使用することができる、Ｆ１における通信からの粗チャネル特性を含んでいる。粗チャネル特性は、パス損失情報、遅延プロフィール情報、見通し線（ＬＯＳ）情報、マルチパス信号に関する情報、およびこれらに類するものを含んでいるかもしれない。ｅＮＢ６１０はまた、ＵＥ６２０から受信されるさまざまな送信の測定を通して、このような粗チャネル特性を独立して決定することができる。（Ｆ２における送信を伝達する）ビーム６０５をＵＥ６２０の方により良好に向ける／ステアリングするために、および、そうでなければＦ２における接続を微調整するために、このような情報を利用してＵＥ６２０の位置を決定することができる。
【００６８】
［００７６］
粗チャネル特性は、到着の角度（ＡＯＡ）および放射の角度（ＡＯＤ）の値を決定することを可能にする特性をさらに含んでいるかもしれない。例えば、アップリンク信号および／またはチャネルフィードバック情報を利用して、ＡＯＡ／ＡＯＤを導出することができる。このような値は、ビーム６０５の粗初期ビーム整列に対しても使用することができる。
【００６９】
［００７７］
Ｆ１におけるさまざまなチャネルまたは制御データの通信を利用して、ＲＡＣＨ手順および接続セットアップ、無線リンク監視（ＲＬＭ）によるモビリティサポート、無線リソース監視（ＲＲＭ）、ページング、および他の制御シグナリングを実現することもできる。さらに、ＵＥ６２０との間かまたはマクロｅＮＢ６１０との間かのいずれかの、Ｆ１における通信を利用して、スモールセルのｅＮＢの休止制御を容易にすることができる。
【００７０】
［００７８］
高周波数において、高次元アレイのビーム幅は数度のオーダーであることが認識される。したがって、Ｆ２における高周波数接続を確立するために、Ｆ１におけるＵＥとｅＮＢとの間の制御通信を利用して、ビーム６２０をステアリングするのに十分なデータを取得する。さらに、粗チャネル特性を含むチャネル情報をＵＥ６２０に提供して、Ｆ２における送出送信のビーム方向および／またはビーム幅、Ｆ２におけるダウンリンク測定のためのチャネルコンフィギュレーション情報、ならびに、Ｆ２におけるアップリンクチャネルに対するチャネルコンフィギュレーション情報、のうちの１つ以上に関して、ＵＥに教えることができる。いったん接続が確立されると、ＵＥ６２０とｅＮＢ６１０の間で、かなり高速なレートでデータを転送することができる。
【００７１】
［００７９］
Ｆ２における接続を確立した後、スモールセル６０２のＵＥ６２０とｅＮＢ６１０は、多くの方法で、Ｆ１における接続を使用して、粗チャネル特性を含むチャネル情報の交換および／または識別を継続することができる。例えば、ＵＥ６２０の動きが原因のような環境における変化が起こったときに、Ｆ２における接続を維持するために、交換および／または識別したさまざまなチャネルのデータおよび特性を継続的に保持する。さらに、追加の帯域幅を提供するために、Ｆ１における接続を利用して、Ｆ２において生じているデータ交換と並行してデータを交換することができる。
【００７２】
［００８０］
別の態様にしたがうと、スモールセル６０３は、高周波数Ｆ２のみにおいて、ＵＥ６２０との通信をサポートする。ＵＥ６２０はまた、Ｆ１において、マクロｅＮＢ６１０と通信する。この態様では、スモールセル６０３のＵＥ６２０は、Ｆ１において、マクロｅＮＢ６１０と（例えば、スモールセル６０２に関して上述した粗チャネル特性を含む）制御情報を送信および／または受信する一方で、Ｆ２において、スモールセル６０３のｅＮＢ６１０とデータ送信を交換するように構成されている。
【００７３】
［００８１］
この態様では、マクロｅＮＢ６１０によって識別されたチャネルおよび制御データおよび特性が、例えば、バックホール接続を介して情報を送り届け、情報は、スモールセル６０３のビーム６０５を向けることを支援するのに利用することができ、そして、選択されたユーザ情報、Ｆ２におけるアップリンクチャネルおよび／またはダウンリンクチャネルに対するチャネルコンフィギュレーション情報、ならびに、これらに類するもののような、他の関連するデータを提供することができる。マクロｅＮＢ６１０は、Ｆ２におけるＵＥ６２０との通信を確立するために、このようなデータをスモールセルｅＮＢ６０３に通信することができる。いったんＦ２における通信リンクが確立されると、マクロｅＮＢ６１０との間の制御データ通信はＦ１における通信リンクを継続してもよい。このようなリンクは、スモールセル６０３内の追加のビームステアリングを提供するために利用することができ、ＵＥ６２０がスモールセル６０３を離れるときにハンドオフ機能性を実現するために利用することができる。さらに、Ｆ１通信リンクは、Ｆ２通信リンクとともに、追加のデータ通信能力を提供するために利用することもできる。
【００７４】
［００８２］
代替的に、いったんＦ２における通信リンクが確立されると、制御データ通信は、スモールセル６０３のｅＮＢ６１０にハンドオフされ、Ｆ２において実現されるかもしれない。このケースでは、制御データは、Ｆ２における通信を維持するようにビームを向けることによりスモールセル６０３のｅＮＢ６１０の支援を継続する態様で、利用することができる。
【００７５】
［００８３］
さらに別の態様では、スモールセル６０４は、Ｆ１とＦ２の両方の周波数における通信をサポートし、Ｆ１とＦ２をまたサポートするＵＥ６２０と通信するように構成されている。このケースでは、スモールセル６０４のＵＥ６２０は、（例えば、上述したように）Ｆ２における接続を確立するために、Ｆ１において、スモールセル６０２のｅＮＢ６１０と、粗チャネル特性を含むチャネル情報を送信および／または受信するように構成されている。いったんＦ２における接続が確立されると、Ｆ１における通信は、Ｆ２通信リンクにハンドオフされ、Ｆ１における通信は終わる。したがって、接続を維持する際、ビーム６０５をステアリングする際、およびこれらに類する際に、支援する制御データは、ユーザデータとともに、Ｆ２において交換される。
【００７６】
［００８４］
図６において説明したシステムの、本出願の態様であると企図されるさまざまな修正を行うことができることが認識される。例えば、いくつかのケースでは、マクロｅＮＢ６１０は、エリア６０１より小さなエリアにおいて高周波数通信信号を利用する一方で、他のスモールｅＮＢ、マイクロｅＮＢ、フェムトｅＮＢなどにサービスを提供するマクロｅＮＢとしても動作するように構成されている。このような状況において、Ｆ１およびＦ２におけるシグナリングの使用が、スモールセル６０２〜６０４に関して記述したように実現することができる。
【００７７】
［００８５］
さらに、態様は、干渉調整／緩和を実現するために、Ｆ１およびＦ２におけるさまざまな接続ならびに／あるいはこれらの接続の知識を利用してもよい。別々の信号を使用することは、それ自体、いくらかの干渉利点を提供するかもしれない。さらに、マクロセルがＦ１における通信を維持するケースでは、干渉回避の中央調整を通信ネットワーク中で実現することができる。
【００７８】
［００８６］
さらに、高周波数、低周波数、および、さまざまな範囲の周波数、のようなさまざまな用語の名前をあげてきたが、より低い周波数の信号を利用して高周波数接続を確立する際に支援する、ここで開示した概念は、より一般的に適用可能であることが認識される。例えば、低周波数信号は、ＷｉＦｉ、ＷＣＤＭＡ、およびこれらに類するもののような他のソースから生じるものであってもよい。このような状況において、基地局は、ＷｉＦｉおよびより高い周波数の送信接続をサポートすることができる。このような局は、より低いＷｉＦｉ接続を利用して、より高い周波数の送信の接続をアクティブにする／確立することができる。
【００７９】
［００８７］
ここで示したおよび記述した例示的なシステムを考慮すると、開示した主題事項にしたがって実現することができる方法論が、さまざまな機能ブロックダイヤグラムを参照してより良好に認識されるだろう。説明を簡潔にする目的のために一連の動作／ブロックとして方法論を示しているおよび記述しているが、ここで図示および記述しているものとは異なる順序でおよび／または他のブロックと実質的に同一の時間に、いくつかのブロックが行われてもよいので、請求項に記載した主題事項はブロックの数または順序によって限定されないことを、理解および認識すべきである。さらに、ここで記述している方法論を実現するために、すべての図示しているブロックが要求されるわけではない。ブロックに関係付けられている機能性は、ソフトウェア、ハードウェア、それらを組み合わせたもの、または他の何らかの適切な手段（例えば、デバイス、システム、プロセス、またはコンポーネント）によって実現してもよいことを認識すべきである。さらに、本明細書の全体を通して開示した方法論は、このような方法論のさまざまなデバイスへの伝送および転送を容易にするために、製造物に記憶させることができることをさらに認識すべきである。方法論は代替的に、状態ダイヤグラムにおけるような一連の相互に関係する状態またはイベントとして表すことができることを、当業者は理解および認識するだろう。
【００８０】
［００８８］
ここで記述した態様のうちの１つ以上の態様にしたがって、図７を参照して、ワイヤレス通信を実現するための、ネットワークデバイスによって動作可能な方法論７００を示している。方法７００は、７０１において、低周波数におけるユーザデバイスとの通信を、少なくとも１つのワイヤレスネットワークデバイスによって確立することを含んでいる。さらに、方法７００は、７０２において、ワイヤレスネットワークデバイスとユーザデバイスとの間の低周波数通信に関係付けられている粗チャネル特性を識別することを含んでいる。これらの粗チャネル特性は、ユーザデバイスからの送信中で受信されるかもしれない、ネットワークデバイスによって決定されるかもしれない、または、両方を組み合わせたものであるかもしれない。方法７００は、７０３において、低周波数通信に関係付けられている粗チャネル特性に基づいて、高周波数におけるユーザデバイスとの通信を、少なくとも１つのワイヤレスネットワークデバイスによって確立することを含んでいる。上記で着目したように、粗チャネル特性は、高周波数通信リンクの確立をトリガすることができるビーム形成およびパス損失の情報のような情報および特性を含んでいるかもしれない。
【００８１】
［００８９］
関連する態様において、使用している通信システムに依存して、低周波数における確立した通信は、０．４〜２．５ＧＨｚまたは０．４〜６．０ＧＨｚの間の範囲のような周波数範囲におけるものであるかもしれない。０．４〜２．５ＧＨｚの低周波数範囲は一般的に、現在のセルラ帯域を包含している。このような通信システムでは、高周波数通信は、２．５ＧＨｚを上回る周波数におけるものであると考えられる。高周波数に対するこの範囲は、５．８ＧＨｚのようなライセンスされていないスペクトルを含んでおり、これは、通信に対する追加の帯域として使用した場合、ライセンスされているセルラ帯域の最上位の上に構築されるだろう。低周波数範囲が０．４〜６．０ＧＨｚの間を含んでいる場合は、高周波数通信範囲は、６．０ＧＨｚを超える周波数におけるものである。２．５ＧＨｚと６．０ＧＨｚとの間のこのような周波数は、いくつかの態様では高周波数と考えられるが、典型的に、通信に対するビーム形成に、より少ない依存性を経験し、したがって、本開示のさまざまな態様に対しては低周波数範囲中に含まれることがある。一般的に、本開示のいくつかの態様は、０．４〜２．５ＧＨｚの範囲の間で低周波数を定義する一方で、他の態様は、０．４〜６．０ＧＨｚの範囲の間で低周波数を定義する。指定された低周波数範囲に依存して、対応する高周波数範囲は一般的に、より狭い２０〜６０ＧＨｚの範囲、または、より広い６．０〜９０ＧＨｚの範囲の間にあるかもしれない。したがって、本開示のいくつかの態様では、ライセンスされているスペクトルに関係付けられている、低周波数通信に関係付けられている粗チャネル特性は、ライセンスされているスペクトルかまたはライセンスされていないスペクトルかのいずれかの中での高周波数通信の確立に対して適用される。一方、他の態様では、ライセンスされていないスペクトルに関係付けられている低周波数通信は、結果として、ライセンスされていないスペクトルに関係付けられている粗チャネル特性が、場合に応じて、ライセンスされているスペクトルかまたはライセンスされていないスペクトルかのいずれかの中で高周波数通信を確立するために使用されることになる。
【００８２】
［００９０］
さらに、低周波数における通信を確立するネットワークデバイスは、高周波数における通信を確立するネットワークデバイス（例えば、スモールセル６０２および６０４のｅＮＢ６１０）と同一であってもよい。代替的に、低周波数および高周波数における通信を確立するネットワークデバイスは、（例えば、マクロｅＮＢ６１０とスモールセル６０３のｅＮＢ６１０とにより実現されるように）異なっていてもよい。粗チャネル特性は、パス損失の、電力遅延プロフィールの、マルチパス方向の、到着の角度の、および放射の角度の情報とともに、他の位置情報、に関連する情報、データ、または特性を含んでいてもよい。このような情報により、態様は、低周波数通信に対して識別された粗チャネル特性に基づいて、高周波数送信ビームを向けることができる。
【００８３】
［００９１］
関連する別の態様において、方法７００はさらに、高周波数においてユーザデバイスと通信するように構成されている第２のネットワークデバイスの範囲中にユーザデバイスがあるか否かを、低周波数においてユーザデバイスと通信する少なくとも１つのネットワークデバイスによって監視すること、および／または、第２のネットワークデバイスの範囲中にユーザデバイスがあるときに、第２のネットワークデバイスをアクティブにすることを含んでいる。
【００８４】
［００９２］
方法７００は、上述したｅＮＢ１１０および６１０のようなさまざまなハードウェアデバイスによって実行してもよいことがさらに認識される。したがって、このようなハードウェアは、低周波数におけるユーザデバイスとの通信を確立し、ワイヤレスネットワークデバイスとユーザデバイスとの間の低周波数における通信に対する粗チャネル特性を受信し、低周波数において受信した粗チャネル特性に基づいて、高周波数におけるユーザデバイスとの通信を確立する手段とも考えられる。
【００８５】
［００９３］
ここで記述した態様のうちの１つ以上の態様にしたがって、図８を参照して、ワイヤレス通信を実現するための、第１のネットワークデバイスによって動作可能な方法論８００を示している。方法８００は、８０１において、ユーザデバイスと第２のネットワークデバイスとの間の低周波数通信の１つ以上の特性に対応する粗チャネル特性を、第２のネットワークデバイスから受信することを含んでいる。さらに、方法８００は、８０２において、ユーザデバイスと第２のネットワークデバイスとの間の低周波数通信に関連する粗チャネル特性に基づいて、高周波数におけるユーザデバイスとの通信を、第１のネットワークデバイスによって確立することを含んでいる。
【００８６】
［００９４］
関連する態様において、上記で着目したように、低周波数における確立した通信は、０．４〜６．０ＧＨｚまたは０．４〜２．５ＧＨｚの間のような周波数におけるものであるかもしれず、高周波数は、６．０〜９０ＧＨｚまたは２０〜６０ＧＨｚの間のような周波数におけるものであるかもしれない。さらに、粗チャネル特性は、パス損失の、電力遅延プロフィールの、マルチパス方向の、到着の角度の、放射の角度の情報、および他の位置情報、に関連する情報のような、制御またはチャネルの情報を含んでいるかもしれない。このような情報により、態様は、低周波数通信に関係付けられている粗チャネル特性に基づいて、高周波数送信ビームを向けることができる。
【００８７】
［００９５］
方法８００は、上述したｅＮＢ１１０および６１０のようなさまざまなハードウェアデバイスによって実行してもよいことがさらに認識される。したがって、このようなハードウェアは、ユーザデバイスの１つ以上の特性に対応する情報を、低周波数通信の一部としてネットワークデバイスから受信し、低周波数において受信した情報に基づいて、高周波数におけるユーザデバイスとの通信を確立する手段とも考えられる。
【００８８】
［００９６］
ここで記述した態様のうちの１つ以上の態様にしたがって、図９を参照して、ワイヤレス通信を実現するための、ＵＥのようなユーザデバイスによって動作可能な方法論９００を示している。方法９００は、９０１において、ユーザデバイスによって、低周波数において少なくとも１つのネットワークデバイスと通信することを含んでいる。さらに、方法９００は、９０２において、低周波数における通信に関係付けられている粗チャネル特性に基づく、ユーザデバイスに向けられた高周波数通信を受信することを含んでいる。粗チャネル特性は、ユーザデバイスによって、低周波数通信を通してネットワークデバイスに通信してもよい。代替的に、ネットワークデバイスは、ユーザデバイスとの低周波数通信の解析を通して、粗チャネル特性のいくつかまたはすべてを決定してもよい。
【００８９】
［００９７］
関連する態様において、上記で着目したように、低周波数における通信は、０．４〜６．０ＧＨｚまたは０．４〜２．５ＧＨｚの間のような周波数におけるものであるかもしれず、高周波数は、６．０〜９０ＧＨｚまたは２０〜６０ＧＨｚの間のような周波数におけるものであるかもしれない。さらに、受信した情報は、パス損失の、電力遅延プロフィールの、マルチパス方向の、到着の角度の、放射の角度の情報、および他の位置情報、に関連する情報のような、制御またはチャネルの情報を含んでいるかもしれない。このような情報により、態様は、低周波数において交換された受信した情報に基づいて、高周波数送信ビームを向けることができる。
【００９０】
［００９８］
追加の態様において、ユーザデバイスは、第１のネットワークデバイスに情報を提供し、高周波数送信を、第１のネットワークデバイスから受信する。代替的に、高周波数送信は、第２のネットワークデバイスから受信されるかもしれない。
【００９１】
［００９９］
方法９００は、上述したＵＥ１２０および６２０のようなさまざまなハードウェアデバイスによって実行してもよいことがさらに認識される。したがって、このようなハードウェアは、低周波数において少なくとも１つのネットワークデバイスに情報を提供し、低周波数においてネットワークデバイスに提供された情報に応答した高周波数送信を受信する手段とも考えられる。
【００９２】
［０１００］
当業者は、さまざまな異なるテクノロジーおよびテクニックのうちのいずれかを使用して、情報および信号を表してもよいことを理解するだろう。例えば、上記の説明全体を通して参照されるデータ、命令、コマンド、情報、信号、ビット、シンボル、およびチップは、電圧、電流、電磁波、磁界または磁粒、光界または光粒、あるいは、これらを任意に組み合わせたものによって表してもよい。
【００９３】
［０１０１］
図７〜９における機能ブロックおよびモジュールは、プロセッサ、電子デバイス、ハードウェアデバイス、電子コンポーネント、論理回路、メモリ、ソフトウェアコード、ファームウェアコードなど、または、これらを任意に組み合わせたものを備えていてもよい。
【００９４】
［０１０２］
ここでの開示に関連して記述した、さまざまな例示的な論理ブロック、モジュール、回路、およびアルゴリズムステップは、電子ハードウェアとして、コンピュータソフトウェアとして、または両方を組み合わせたものとして実現してもよいことを、当業者はさらに認識するだろう。ハードウェアおよびソフトウェアのこの互換性を明確に示すために、さまざまな例示的なコンポーネント、ブロック、モジュール、回路、およびステップを、一般的にこれらの機能性に関して上記で説明している。このような機能性が、ハードウェアとして実現されるかまたはソフトウェアとして実現されるかは、システム全体に課せられている特定のアプリケーションおよび設計の制約に依存する。熟練者は、各特定のアプリケーションに対して変化する方法で、説明した機能性を実現するかもしれないが、このようなインプリメンテーションの決定は、本開示の範囲からの逸脱を生じさせるものとして解釈すべきではない。ここで説明したコンポーネント、方法、または対話の、順序または組み合わせが単に例に過ぎず、本開示のさまざまな態様のコンポーネント、方法、または対話を、ここで図示して説明した以外の方法で組み合わせてもよいこと、または実行してもよいことも、熟練者は容易に認識するだろう。
【００９５】
［０１０３］
ここでの開示に関連して説明したさまざまな例示的な論理ブロック、モジュール、および回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで説明した機能を実行するように設計されているこれらを任意に組み合わせたものにより、実現または実行してもよい。汎用プロセッサはマイクロプロセッサであってもよいが、代替において、プロセッサは、任意の従来のプロセッサ、制御装置、マイクロ制御装置、または状態機械であってもよい。プロセッサはまた、例えば、ＤＳＰとマイクロプロセッサとを組み合わせたもの、複数のマイクロプロセッサ、ＤＳＰコアに関連する１つ以上のマイクロプロセッサ、または、他の何らかのこのようなコンフィギュレーションである、コンピューティングデバイスを組み合わせたものとして実現してもよい。
【００９６】
［０１０４］
ここでの開示に関連して説明した方法またはアルゴリズムのステップは直接、ハードウェアで、プロセッサによって実行されるソフトウェアモジュールで、または２つを組み合わせたもので具現化してもよい。ソフトウェアモジュールは、ＲＡＭメモリ、フラッシュメモリ、ＲＯＭメモリ、ＥＰＲＯＭ（登録商標）メモリ、ＥＥＰＲＯＭ（登録商標）メモリ、レジスタ、ハードディスク、リムーバブルディスク、ＣＤ−ＲＯＭ、または技術的に既知である他の何らかの形態の記憶媒体中に存在してもよい。例示的な記憶媒体は、プロセッサが記憶媒体から情報を読み取ったり、記憶媒体に情報を書き込んだりできるようにプロセッサに結合されている。代替において、記憶媒体は、プロセッサに統合されていてもよい。プロセッサおよび記憶媒体は、ＡＳＩＣ中に存在してもよい。ＡＳＩＣは、ユーザ端末中に存在していてもよい。代替において、プロセッサおよび記憶媒体は、ユーザ端末中にディスクリートコンポーネントとして存在してもよい。
【００９７】
［０１０５］
１つ以上の例示的な設計において、記述した機能は、ハードウェア、ソフトウェア、ファームウェア、またはこれらを任意に組み合わせたもので実現してもよい。ソフトウェアで実現する場合、機能は、１つ以上の命令またはコードとしてコンピュータ読み取り可能媒体上に記憶されていてもよく、あるいは、１つ以上の命令またはコードとしてコンピュータ読み取り可能媒体上で送信されてもよい。コンピュータ読み取り可能媒体は、１つの場所から別の場所へのコンピュータプログラムの転送を促進する任意の媒体を含む、コンピュータ記憶媒体および通信媒体の両方を含んでいる。コンピュータ読み取り可能記憶媒体は、汎用または特殊目的のコンピュータによってアクセスできる何らかの利用可能な媒体であってもよい。例として、限定ではなく、このようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用もしくは特殊目的のコンピュータによって、または汎用もしくは特殊目的のプロセッサによってアクセスでき、命令またはデータ構造の形態で所望のプログラムコード手段を運ぶまたは記憶するために使用できる他の何らかの媒体を含むことができる。また、接続は、コンピュータ読み取り可能媒体と適切に呼ばれてもよい。例えば、ソフトウェアが、ウェブサイトから、サーバから、あるいは、同軸ケーブル、光ファイバケーブル、撚り対、またはデジタル加入者線（ＤＳＬ）を使用する他の遠隔ソースから送信される場合、同軸ケーブル、光ファイバケーブル、撚り対、またはＤＳＬは、媒体の定義中に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、通常、ディスク（ｄｉｓｋ）は、データを磁気的に再生する一方で、ディスク（ｄｉｓｃ）はデータをレーザにより光学的に再生する。上記を組み合わせたものも、コンピュータ読み取り可能媒体の範囲内に含まれるべきである。
【００９８】
［０１０６］
特許請求の範囲中を含め、ここで使用する、用語“および／または”は、２つ以上のアイテムのリストにおいて使用するとき、リストされているアイテムのうちの何れか１つをそれ自体で用いることができること、または、リストされているアイテムのうちの２つ以上を任意に組み合わせたものを用いることができることを意味している。例えば、コンポジションがコンポーネントＡ、Ｂ、および／またはＣを含んでいるとして記述される場合、コンポジションは、Ａだけ；Ｂだけ；Ｃだけ；組み合わせでＡとＢ；組み合わせでＡとＣ；組み合わせでＢとＣ；または、組み合わせでＡとＢとＣ；を含むことができる。また、特許請求の範囲中を含め、ここで使用する、“のうちの少なくとも１つ”によって始められるアイテムのリストにおいて使用する“または”は、例えば、“Ａ、Ｂ、またはＣ、のうちの少なくとも１つ”のリストが、Ａ、またはＢ、またはＣ、またはＡＢ、またはＡＣ、またはＢＣ、またはＡＢＣ（すなわち、ＡとＢとＣ）を意味するように、離接的なリストを示している。
【００９９】
［０１０７］
本開示の先の説明は、当業者が本開示を製造または使用することを可能にするように提供されている。本開示に対するさまざまな修正が、当業者にとって容易に明らかとなり、ここで定義される一般的な原理は、本開示の精神および範囲から逸脱することなく他のバリエーションに適用してもよい。したがって、本開示は、ここで記述した例および設計に限定されるように意図してはおらず、ここで開示した原理および新規の特徴と一致した最も広い範囲が与えられるべきである。
【図１】
2016528830.tif 000003
【図２】
2016528830.tif 000004
【図３】
2016528830.tif 000005
【図４】
2016528830.tif 000006
【図５】
2016528830.tif 000007
【図６】
2016528830.tif 000008
【図７】
2016528830.tif 000009
【図８】
2016528830.tif 000010
【図９】
2016528830.tif 000011
【国際調査報告】
2016528830.tif 000012
2016528830.tif 000013
2016528830.tif 000014